(57)【要約】【課題】電球形蛍光ランプにおいて、ランプ部材とランプ装着部材とに分離して使用できるようにする。【解決手段】ホルダ７の一面側に蛍光ランプ８を備えるランプ部材６と、蛍光ランプ８の点灯を制御する点灯回路を覆うカバー３の一端側に口金４を備えて、ホルダ７の他面側を着脱可能とする装着部５を、カバー３の他端側に備えるランプ装着部材２と、からなる分離型電球形蛍光ランプ１。そして、ホルダ７の他面側に一対の端子ピン７１を備え、装着部５には、一対の端子ピン７１を各々受け入れて固定可能とする一対の端子接続溝５１を備える。【選択図】図２
2010009802.tif 000002
【特許請求の範囲】
【請求項１】
ホルダの一面側に蛍光ランプを備えるランプ部材と、
前記蛍光ランプの点灯を制御する点灯回路を覆うカバーの一端側に口金を備えて、前記ホルダの他面側を着脱可能とする装着部を、前記カバーの他端側に備えるランプ装着部材と、からなることを特徴とする分離型電球形蛍光ランプ。
【請求項２】
前記ホルダの他面側に一対の端子ピンを備え、
前記装着部には、前記一対の端子ピンを各々受け入れて固定可能とする一対の端子接続溝を備えることを特徴とする請求項１に記載の分離型電球形蛍光ランプ。
【請求項３】
ホルダの一面側に蛍光ランプを備えることを特徴とするランプ部材。
【請求項４】
前記ホルダの他面側に一対の端子ピンを備えることを特徴とする請求項３に記載のランプ部材。
【請求項５】
蛍光ランプの点灯を制御する点灯回路を覆うカバーの一端側に口金を備えて、請求項３に記載のランプ部材の前記ホルダの他面側を着脱可能とする装着部を、前記カバーの他端側に備えることを特徴とするランプ装着部材。
【請求項６】
前記装着部に、請求項４に記載の前記一対の端子ピンを各々受け入れて固定可能とする一対の端子接続溝を備えることを特徴とする請求項５に記載のランプ装着部材。
【発明の詳細な説明】
【技術分野】
【０００１】
本発明は、分離型の電球形蛍光ランプと、その分離されるランプ部材、及びランプ装着部材に関する。
【背景技術】
【０００２】
電球形蛍光ランプとして、その放電管の水銀を簡単な方法で回収することができるようにしたものが特許文献１に開示されている。特許文献１の電球形蛍光ランプは、発光手段となる放電管と、その放電管を点灯制御する回路部品と、商用電源に電気的に接続される口金と、放電管を支持すると共に分断する所定の位置が決められた構造部材とを具備し、その構造部材を所定の位置で分断することにより放電管側と口金側とに分離し得る構成のものである。
【０００３】
また、一般消費者の取り外しは容易にすることなくグローブおよびカバー体を破損せずに分離可能として、分離作業の効率改善を図った電球形蛍光ランプが特許文献２に開示されている。特許文献２の電球形蛍光ランプは、グローブおよびカバー体がそれぞれ重なりあうことなく接続部材を介して接続固着している構成のもので、分離の際、容易にグローブおよびカバー体を分離可能となり、その後の分離、分解作業の効率が向上する。
【０００４】
また、構成部品をリサイクル可能にし、廃棄物などの発生抑制および資源の循環的利用を図った電球形蛍光ランプが特許文献３に開示されている。特許文献３の電球形蛍光ランプは、ホルダで、蛍光ランプを着脱可能に支持するとともに、蛍光ランプを点灯させる点灯回路を着脱可能に支持する一方、カバーの一端に口金を嵌合固着し、カバーの他端にホルダを螺合により嵌合固着する構成のもので、螺合により嵌合固着するホルダとカバーとは、螺合解除によって容易に分離でき、ホルダおよびカバーのリサイクルを可能にする。
【特許文献１】特開２００５−１０８６４２号公報
【特許文献２】特開２００５−１２３１４７号公報
【特許文献３】特開２００２−２６０４０８号公報
【発明の開示】
【発明が解決しようとする課題】
【０００５】
以上、従来は、特許文献１のように構造部材を所定の位置で分断したり、特許文献２のように接続部材を分断したり、特許文献３のように螺合により嵌合固着するホルダとカバーを螺合解除によって分離したりして、寿命後にホルダとカバーを分解してリサイクルに対応したものに過ぎず、ホルダ側とカバー側とに分離して使用することは不可能であった。
【０００６】
本発明の課題は、電球形蛍光ランプにおいて、ランプ部材とランプ装着部材とに分離して使用できるようにすることである。
【課題を解決するための手段】
【０００７】
以上の課題を解決するため、請求項１に記載の発明は、ホルダの一面側に蛍光ランプを備えるランプ部材と、前記蛍光ランプの点灯を制御する点灯回路を覆うカバーの一端側に口金を備えて、前記ホルダの他面側を着脱可能とする装着部を、前記カバーの他端側に備えるランプ装着部材と、からなる分離型電球形蛍光ランプを特徴とする。
【０００８】
請求項２に記載の発明は、請求項１に記載の分離型電球形蛍光ランプであって、前記ホルダの他面側に一対の端子ピンを備え、前記装着部には、前記一対の端子ピンを各々受け入れて固定可能とする一対の端子接続溝を備えることを特徴とする。
【０００９】
請求項３に記載の発明は、ホルダの一面側に蛍光ランプを備えるランプ部材を特徴とする。
【００１０】
請求項４に記載の発明は、請求項３に記載のランプ部材であって、前記ホルダの他面側に一対の端子ピンを備えることを特徴とする。
【００１１】
請求項５に記載の発明は、蛍光ランプの点灯を制御する点灯回路を覆うカバーの一端側に口金を備えて、請求項３に記載のランプ部材の前記ホルダの他面側を着脱可能とする装着部を、前記カバーの他端側に備えるランプ装着部材を特徴とする。
【００１２】
請求項６に記載の発明は、請求項５に記載のランプ装着部材であって、前記装着部に、請求項４に記載の前記一対の端子ピンを各々受け入れて固定可能とする一対の端子接続溝を備えることを特徴とする。
【発明の効果】
【００１３】
本発明によれば、電球形蛍光ランプを、ホルダ上に蛍光ランプを備えるランプ部材と、点灯回路を覆うカバーの一端側に口金を備えて、他端側にホルダを着脱可能とする装着部を備えるランプ装着部材とに分離して使用することができる。従って、寿命が蛍光ランプの２倍〜３倍長いといわれる点灯回路を内蔵したランプ装着部材を継続使用して、ランプ部材のみを交換することができる。
【発明を実施するための最良の形態】
【００１４】
以下、図を参照して本発明を実施するための最良の形態を詳細に説明する。
（実施形態）
図１は本発明を適用した分離型電球形蛍光ランプの一実施形態の構成として一体化状態を示したもので、１は分離型電球形蛍光ランプ、２はランプ装着部材、３はカバー、４は口金、５は装着部、６はランプ部材、７はホルダ、８は蛍光ランプである。
【００１５】
分離型電球形蛍光ランプ１は、ランプ装着部材２とランプ部材６とからなる。そのランプ装着部材２は、カバー３、口金４及び装着部５より構成されている。そして、ランプ部材６は、ホルダ７及び蛍光ランプ８により構成されている。
【００１６】
すなわち、ランプ装着部材２は、図示のように、蛍光ランプの点灯を制御する点灯回路を覆うカバー３の一端側に、商用電源に電気的に接続される口金４が一体に結合されて、カバー３の他端側には、ランプ部材６を着脱可能とする装着部５が一体に結合されている。装着部５は、円板状で絶縁材により形成されている。
【００１７】
なお、点灯回路としては、蛍光ランプを高周波点灯させるインバータ式安定器（高周波点灯回路）が実施形態で採用されたが、インバータ機能はなくても良い。
【００１８】
そして、ランプ部材６は、図示のように、ホルダ７の一面側に、一本の放電管による蛍光ランプ８の両端部が一体に結合されている。ホルダ７は、円板状で絶縁材により形成されている。
【００１９】
図２は図１の状態から分離状態を示したもので、５１は端子接続溝、５２はその大径溝、５３は内周突起、７１は端子ピン、７２はその先端大径部である。
【００２０】
すなわち、ホルダ７には、図示のように、蛍光ランプ８とは他面側に、その直径方向に位置する一対の端子ピン７１が突出して一体に結合されている。この一対の端子ピン７１は、蛍光ランプ８の両端部に電気的接続されたもので、先端大径部７２をそれぞれ一体に有している。
【００２１】
そして、装着部５には、図示のように、その端面の円形凹部内において、その直径方向に位置する一対の端子接続溝５１が円周方向に沿って形成されている。この一対の端子接続溝５１は、円周方向において、同一方向の端部が大径溝５２となっている。
【００２２】
なお、装着部５端面の円形凹部には、その直径方向に位置する内周突起５３が形成されている。
【００２３】
以上のランプ装着部材２とランプ部材６は、装着部５の一対の端子接続溝５１端部の大径溝５２に、ホルダ７の一対の端子ピン７１の先端大径部７２をそれぞれ挿入してから、相対的に回転させて端子接続溝５１の他端に端子ピン７１をそれぞれ位置させることで、端子ピン７１がカバー３内に設けられた図示しない端子バネにそれぞれキャッチされることにより固定される。
【００２４】
その結果、図１に示したように、ランプ装着部材２とランプ部材６が一体に組み付けられた分離型電球形蛍光ランプ１となる。
【００２５】
分離させる場合は、ランプ装着部材２とランプ部材６を、上述とは反対方向に相対回転させて端子接続溝５１端部の大径溝５２から端子ピン７１の先端大径部７２をそれぞれ抜くことで、図２に示したように、ランプ装着部材２とランプ部材６とに分離する。
【００２６】
以上、実施形態の分離型電球形蛍光ランプ１によれば、ホルダ７上に蛍光ランプ８を備えるランプ部材６と、点灯回路を覆うカバー３の一端側に口金４を備えて、他端側にホルダ７を着脱可能とする装着部５を備えるランプ装着部材２とに分離して使用することができる。従って、寿命が蛍光ランプの２倍〜３倍長いといわれる点灯回路を内蔵したランプ装着部材２を継続使用して、ランプ部材６のみを交換することができる。
【００２７】
そして、ホルダ７に備えた一対の端子ピン７１を、装着部５に備えた一対の端子接続溝５１に挿入して、ランプ装着部材２とランプ部材６を相対回転させることで、端子ピン７１を端子接続溝５１内において固定して、ランプ装着部材２とランプ部材６を一体化した電球形蛍光ランプ１として使用できる。
【００２８】
また、蛍光ランプ８の寿命が来た場合や光の種類（色）を替えたい場合には、ランプ装着部材２とランプ部材６を逆方向に相対回転させることで、端子ピン７１を端子接続溝５１の端部から抜いて、ランプ装着部材２からランプ部材６を分離できる。従って、新品または別種類の蛍光ランプ８を備えたランプ部材６に交換できる。
【００２９】
さらに、寿命が来た蛍光ランプ８を備えたランプ部材６のみを分別廃棄して、水銀、蛍光塗料、ガラス、合成樹脂等のリサイクルに対応できる。
【００３０】
図３は図２のランプ部材６に代えて蓋部材９を使用する場合を示したもので、９１は操作摘みである。
【００３１】
すなわち、蓋部材９は、図示のように、上面に一対の操作摘み９１を備えて、下面には、装着部５の円形凹部及びその内周突起５３に対応する円形突部と、その直径方向に位置する図示しない外周切欠が形成されている。蓋部材９は、薄肉円板状で絶縁材により形成されている。
【００３２】
従って、ランプ部材６の不使用時やランプ装着部材２の保管時等は、装着部５の円形凹部に、その内周突起５３に外周切欠を合わせて、蓋部材９下面の円形突部を挿入し、一対の操作摘み９１に指を当てて蓋部材９とランプ装着部材２を相対回転させることで、装着部５に蓋部材９を装着できる。
【００３３】
なお、以上の実施形態においては、蛍光ランプが露出するものとしたが、本発明はこれに限定されるものではなく、蛍光ランプをグローブで覆うようにしても良い。
また、蛍光ランプ、ホルダ及びカバーの形状、端子ピン及び端子接続溝の形状等も任意であり、その他、ホルダと装着部の着脱可能構造など、具体的な細部構造等についても適宜に変更可能であることは勿論である。
【図面の簡単な説明】
【００３４】
【図１】本発明を適用した分離型電球形蛍光ランプの一実施形態の構成を示すもので、一体化状態を示した斜視図である。
【図２】図１の状態から分離状態を示した分解図である。
【図３】図２のランプ部材に代えて蓋部材を使用する場合を示した分解図である。
【符号の説明】
【００３５】
１  分離型電球形蛍光ランプ
２  ランプ装着部材
３  カバー
４  口金
５  装着部
５１  端子接続溝
５２  大径溝
５３  内周突起
６  ランプ部材
７  ホルダ
７１  端子ピン
７２  先端大径部
８  蛍光ランプ
９  蓋部材
９１  操作摘み
【図１】
2010009802.tif 000003
【図２】
2010009802.tif 000004
【図３】
2010009802.tif 000005